(57)【要約】【課題】本発明の目的は、屋根板を固定するボルトやナットを風雨から保護するキャップを提供することにある。【解決手段】本発明のキャップ１０ａは、形状が１つの開口部１４ａを有する袋形状であり、この袋形状の内部１６ａにワッシャー２８およびナット３６が入り、ワッシャー２８の外周と開口部１４ａの内周とが接するキャップ本体１２ａと、キャップ本体１２ａの開口部１４ａに設けられ、ワッシャー２８の下側に掛け止めされる複数の爪１８ａとを含む。【選択図】図１
2007162380.tif 000002
【特許請求の範囲】
【請求項１】
屋根下地材の上側に設けられ、山部と谷部とが交互に形成された屋根板と、
前記屋根板の山部の上側に設けられたパッキン材と、
前記パッキン材の上側に設けられたワッシャーと、
前記屋根下地材、屋根板、パッキン材、およびワッシャーに軸を貫通させたボルトと、
前記ボルトの軸に締め付けられたナットと、
を含む屋根に取り付けられるキャップであって、
開口部を有する袋形状であり、内部に前記ワッシャーおよびナットが入るキャップ本体と、
前記キャップ本体の開口部に設けられ、前記ワッシャーの下側に掛け止めできる爪と、
を含むキャップ。
【請求項２】
屋根下地材の上側に設けられ、山部と谷部とが交互に形成された屋根板と、
前記屋根板の山部の上側に設けられたパッキン材と、
前記パッキン材の上側に設けられたワッシャーと、
前記屋根下地材の上側に軸が突出し、前記屋根板、パッキン材、およびワッシャーに軸を貫通させたボルトと、
前記ボルトの軸に締め付けられたナットと、
を含む屋根に取り付けられるキャップであって、
開口部を有する袋形状であり、内部に前記ワッシャーおよびナットが入るキャップ本体と、
前記キャップ本体の内面に設けられ、前記ボルトの軸と締め付けられるネジ部と、
を含むキャップ。
【請求項３】
屋根下地材の上側に設けられ、山部と谷部とが交互に形成された屋根板と、
前記屋根板の山部の上側に設けられたパッキン材と、
前記パッキン材の上側に設けられたワッシャーと、
前記屋根下地材、屋根板、パッキン材、およびワッシャーに軸を貫通させたボルトと、
前記ボルトの軸に締め付けられたナットと、
を含む屋根に取り付けられるキャップであって、
開口部を有する袋形状であり、内部に前記ワッシャーおよびナットが入るキャップ本体と、
前記キャップ本体の内部に設けられ、前記ボルトに嵌着する嵌着部材と、
を含むキャップ。
【請求項４】
前記キャップ本体の開口部に設けられ、前記ワッシャーの下側に掛け止めできる爪が設けられた請求項３のキャップ。
【請求項５】
屋根下地材の上側に設けられ、山部と谷部とが交互に形成された屋根板と、
前記屋根板の山部の上側に設けられたパッキン材と、
前記パッキン材の上側に設けられたワッシャーと、
前記屋根下地材、屋根板、パッキン材、およびワッシャーに軸を貫通させたボルトと、
前記ボルトの軸に締め付けられたナットと、
を含む屋根に取り付けられるキャップであって、
開口部を有する袋形状であり、内部に前記ワッシャーおよびナットが入るキャップ本体と、
前記キャップ本体の開口部に設けられ、前記ワッシャーの下側に掛け止めできる爪と、
前記キャップ本体の内面に設けられ、前記ボルトの頭部またはボルトの軸を下方へ押しつける弾性部材と、
を含むキャップ。
【発明の詳細な説明】
【技術分野】
【０００１】
本発明は屋根板を固定するためのボルトやナットを風雨から保護するためのキャップに関するものである。
【背景技術】
【０００２】
従来より屋根板として折板が利用される場合がある。図１３に示す周知の屋根２０ａは、鉄骨などの屋根下地材２２と、屋根下地材２２の上側に設けられ、山部と谷部とが交互に形成された折板２４と、折板２４の山部の上側に設けられたパッキン材２６と、パッキン材２６の上側に設けられるワッシャー２８と、屋根下地材２２、折板２４、パッキン材２６、およびワッシャー２８に軸３２を貫通させ、頭部３４が支持材２２の下側となったボルト３０と、ワッシャー２８の上側でボルト３０の軸３２に締め付けられたナット３６とを含む。さらに、折板２４を利用した屋根は種々開示されており、折板２４を固定するためのボルト３０やナット３６などを風雨による腐食から保護する部材も種々開示されている。
【０００３】
例えば、特許文献１にはキャップ受け金具とキャップ取り付け構造が開示されている。しかし、キャップ受け金具に側壁部、位置決め片、水平壁部などを設けた特別な形状を有するため、製造に費用がかかり、工費の上昇は避けられない。折板の山部全体を覆うため、キャップの一部が破損すると必要以外の箇所も交換が必要となる。
【０００４】
特許文献２には花弁状に開く逆止下座と防さびキャップを利用した装置が開示されている。ナットの外周に溝を設け、そこに逆止下座をはめ込み、ボルトの頭部の外周に溝を設け、そこに防さびキャップをはめ込む構造である。逆止下座によって簡単に折板を止めることができ、防さびキャップによってボルトなどを保護することができる。しかし、ボルトやナットの外周に特別な溝を設ける必要があるため、汎用のボルトなどを使用することができず、工費の上昇は避けられない。
【０００５】
特許文献３にはボルトの頭と折板との間にキャップ取付具を固定し、そこにキャップを係合する屋根の固定方法が開示されている。折板の山部の形状もキャップに合わせて段差が設けられている。しかし、折板の山部の形状から、その山部を全て覆うようキャップを使用する必要があり、ボルトやナットのない部分もキャップが設けられることとなり、無駄が多く、工費が高くなる。また、引用文献の図３よりキャップの長軸方向の両端が開口しており、この開口を塞がないとそこから雨水が入り込むためにキャップの意味がなくなる。
【０００６】
【特許文献１】特許第２７８１９６３号公報
【特許文献２】特開２００２−１２２１０９号公報
【特許文献３】特開平８−２８４３３２号公報
【発明の開示】
【発明が解決しようとする課題】
【０００７】
本発明の目的は、折板を固定するボルトやナットを風雨から保護する低コストのキャップを提供することにある。
【課題を解決するための手段】
【０００８】
キャップが取り付けられる屋根は、屋根下地材の上側に設けられ、山部と谷部とが交互に形成された屋根板と、前記屋根板の山部の上側に設けられたパッキン材と、前記パッキン材の上側に設けられたワッシャーと、前記屋根下地材、屋根板、パッキン材、およびワッシャーに軸を貫通させたボルトと、前記ボルトの軸に締め付けられたナットとを含む。この屋根構造に下記の本発明のキャップが取り付けられる。
【０００９】
本発明のキャップは、開口部を有する袋形状であり、内部に前記ワッシャーおよびナットが入るキャップ本体と、前記キャップ本体の開口部に設けられ、前記ワッシャーの下側に掛け止めできる爪とを含む。
【００１０】
また、本発明の他のキャップは、開口部を有する袋形状であり、内部に前記ワッシャーおよびナットが入るキャップ本体と、前記キャップ本体の内面に設けられ、前記ボルトの軸と締め付けられるネジ部とを含む。
【００１１】
さらに、本発明の他のキャップは、開口部を有する袋形状であり、内部に前記ワッシャーおよびナットが入るキャップ本体と、前記キャップ本体の内部に設けられ、前記ボルトに嵌着する嵌着部材とを含む。
【００１２】
上記の屋根において、ボルトの頭部がワッシャーの上側となり、ナットが屋根下地材の下でボルトの軸に締め付けられた場合、本発明のキャップは、開口部を有する袋形状であり、内部に前記ワッシャーおよびナットが入るキャップ本体と、前記キャップ本体の開口部に設けられ、前記ワッシャーの下側に掛け止めできる爪と、前記キャップ本体の内面に設けられ、前記ボルトの頭部またはボルトの軸を下方へ押しつける弾性部材とを含む。
【発明の効果】
【００１３】
本発明は、キャップ本体をボルトなどの上方から簡単に取り付けることができ、ボルトなどを簡単に風雨から保護することができる。キャップを取り付けるために特殊な金具などは必要なく、低コストとなる。
【発明を実施するための最良の形態】
【００１４】
本発明に係るキャップについて図面を使用して説明する。以下の説明では屋根板として山部と谷部とが交互に形成された周知の折板を利用して説明するが、山部と谷部が曲線となっている周知の波板であっても良い。
【００１５】
先ず図１に示すように屋根２０ａは、鉄骨などの屋根下地材２２と、屋根下地材２２の上側に設けられ、山部と谷部を有する折板２４と、折板２４の山部の上側に設けられたパッキン材（以下、フェルトと記載）２６と、フェルト２６の上側に設けられたワッシャー２８と、屋根下地材２２の上側に軸３２が突出し、折板２４、フェルト２６、およびワッシャー２８を軸３２が貫通し、頭部３４が支持材２２の下側であるボルト３０と、ワッシャー２８の上側でボルト３０の軸３２に締め付けられたナット３６とを含む。
【００１６】
上述した各部材は汎用のものを使用しても良い。屋根下地材２２と折板２４は必要な箇所にドリルなどで貫通穴が設けられる。ボルト３０の軸３２はこの貫通穴を通過する。
【００１７】
ワッシャー２８およびフェルト２６は中央に貫通穴を有するリング形状のもので、本発明においてはワッシャー２８の外径がフェルト２６の外径よりも大きくなるようにする。これは後述するキャップ１０ａの爪が引っかかるようにするためである。
【００１８】
以下、種々の実施例を示して本発明のキャップ１０について説明する。屋根２０ａは、各実施例の説明で断らない限り、上述のものと同一とする。ボルト３０、ナット３６、ワッシャー２８、およびフェルト２６を合わせて固定手段と表現する場合があり、折板２４を固定するのに複数の固定手段を用いる。各実施例におけるキャップ１０は固定手段ごとに設けられるものである。したがって、従来技術で説明したような折板２４の山部全体を覆うことはなく、簡単に取り付けることができ、コスト的に有利である。
【実施例１】
【００１９】
上記の屋根２０ａに取り付けられるキャップ１０ａは、図２（ａ）、（ｂ）に示すように、形状が１つの開口部１４ａを有する袋形状（カップ形状）であり、この袋形状の内部１６ａにワッシャー２８およびナット３６が入り、ワッシャー２８の外周と開口部１４ａの内周とが接するキャップ本体１２ａと、キャップ本体１２ａの開口部１４ａに設けられ、ワッシャー２８の下側に掛け止めできる複数の爪１８ａとを含む。
【００２０】
キャップ本体１２ａは、開口部１４ａが下方を向くようになっている。この内部空間１６ａにナット３６、ワッシャー２８、ボルト３０の軸３２の先端部が入るため、これらのものが風雨から保護される。キャップ本体１２ａの開口部１４ａとワッシャー２８とが密接することによって内部空間１６ａに風雨が入り込みにくくなる。その密接するときに、キャップ本体１２ａが弾性力によってワッシャー２８に多少の圧力をかけるようになっていても良い。キャップ１０ａの脱落防止と内部空間１６ａへの雨水の浸入防止のためである。
【００２１】
キャップ本体１２ａが風雨に耐えるためにステンレスで構成するのが好ましい。ステンレス以外の金属の場合、フッ素系、エポキシ系、アクリル系、またはシリコン系樹脂などで防さびコーティングをおこなうのが好ましい。また、折板２４の色に合わせた色にペンキで塗装し、このペンキによって防さびコーティングをおこなっても良い。
【００２２】
爪１８ａがワッシャー２８の下側に掛け止めできることによって風でキャップ１０ａが飛ばないようになる。キャップ１０ａが風で飛ばないのであれば、爪１８ａがワッシャー２８の下側に接しても接しなくてもよい。爪１８ａの数は複数であれば限定されない。爪１８ａもキャップ本体１２ａと同様にステンレスで構成するのが好ましいが、他の金属を使用するのであれば防さびコーティングをおこなう。爪１８ａが弾性力を有することによって、キャップ本体１２ａを固定手段にはめ込むときに、爪１８ａやワッシャー２８の破損を防止することができる。爪１８ａの形状は方形、半円形などである。
【００２３】
実施例１のキャップ１０ａであれば、キャップ本体１２ａを固定手段の上方から被せるようにしてはめ込むだけである。すなわち、簡単にキャップ１０ａを固定手段に取り付けることができ、工費の上昇を防止できる。キャップ本体１２ａがナット３６などに対する風雨を防いでおり、寿命を長くすることができる。
【００２４】
実施例１のキャップ１０ａが取り付けられる屋根２０ａにおいて、ボルト３０の頭部３４がワッシャー２８の上側に配置され、ナット３６が骨組みの下側に配置されるようになっていても良い。実施例１においては、ボルト３０とナット３６との位置関係は問わない。
【実施例２】
【００２５】
図３（ａ）、（ｂ）に示す実施例２のキャップ１０ｂは、形状が１つの開口部１４ｂを有する袋形状であり、袋形状の内部１６ｂにワッシャー２８およびナット３６が入るキャップ本体１２ｂと、キャップ本体１２ｂの内面に設けられ、ボルト３０の軸３２と締め付けられるネジ部３８とを含む。キャップ本体１２ｂは実施例１と同じであるので説明を省略する。
【００２６】
ネジ部３８はキャップ本体１２ｂの内面にナットを溶接するなどして設ける。図３（ａ）、図４のようにカップ形状のキャップ本体１２ｂであれば、固定手段のナット３６の上側と対向する部分が平坦なのでナットを容易に固定できる。ネジ部３８はボルト３０のねじ山に合う溝を有するものであれば、ナット以外のものでも良い。
【００２７】
実施例２のキャップ１０ｂであれば、ボルト３０の軸３２の先端にキャップ１２ｂをネジ止めすることができ、簡単に各固定手段に取り付けることができる。なお、実施例２において、ボルト３０の軸３２の先端は、ナット３６から突き抜けることが条件となる。
【００２８】
また、キャップ本体１２ｂに実施例１の爪１８ａを設けても良い。爪１８ａによってキャップ１０ｂがゆるむのを防止できる。さらに、キャップ本体１２ｂの開口部１４ｂがワッシャー２８に密接すれば雨水がキャップ本体１２ｂの内部１６ｂに入り込むことを防止できる。
【実施例３】
【００２９】
図５（ａ）、（ｂ）および図６に示す実施例３のキャップ１０ｃは、形状が１つの開口部を有する袋形状であり、袋形状の内部１６ｃにワッシャー２８およびナット３６が入るキャップ本体１２ｃと、キャップ本体１２ｃの内部１６ｃに設けられ、ボルト３０の軸３２が差し込まれてその軸３２に接する嵌着部材４０とを含む。なお、図５ではキャップ本体１２ｃと嵌着部材４０が別々の部材によって形成されているが、一体になっていても良い。
【００３０】
図７（ａ）、（ｂ）に示すように、キャップ本体１２ｃは、ナット３６の上側と対向する面に突出部４２を設ける。これは、ボルト３０の軸３２を配置するスペースを確保するためである。その他の構成材料などは実施例１のキャップ本体１２ａと同じである。
【００３１】
図８（ａ）、（ｂ）、（ｃ）に示すように、嵌着部材４０は、ほぼ円形の部材４６の中心に貫通穴４４を設けて形成する。また、円形の部材４６に対して垂直であり、かつ貫通穴を形成する部分に接続されたリング部材４７も円形の部材４６と一体に設ける。嵌着部材４０とボルト３０の軸３２との接触面積が多くなるようになり、キャップ１０ｃが安定する。これらの部材は鉄、バネ鋼、または樹脂で構成する。この部材の弾性力を利用して部材４７がボルト３０の軸３２を押し当てるようにしても良い。嵌着部材４０によってキャップ本体１２ｃがボルト３０の軸３２に対して支えられることとなる。
【００３２】
実施例３のキャップ１０ｃであれば、キャップ本体１２ｃを固定手段の上方から被せるようにしてはめ込むことにより、固定手段に簡単にキャップ１０ｃを取り付けることができる。
【００３３】
また、キャップ本体１２ｃの開口部１４ｃに実施例１と同様に爪１８ｃを設けても良い。爪１８ｃによってキャップ本体１２ｃがボルト３０の軸３２からはずれるのを防止できる。なお、図８に示すように、爪１８ｃは嵌着部材４０を形成するための円形の部材４６と一体になっており、図５の爪１８ｃはキャップ本体１２ｃの開口部１４ｃ以外の部分に固定されているが、爪１８ｃの位置が開口部１４ｃにあり、キャップ本体１２ｃの開口部１４ｃに直接固定したものと同じ働きをする。したがって、本発明のキャップ本体１２ｃに設けられる爪１８ｃは、位置が開口部１４ｃにあり、その使用目的等が同じであれば、爪１８ｃがキャップ本体１２ｃに固定される位置は特に限定されない。このことは他の実施例についても同様である。爪１８ｃをバネ鋼で構成し、弾性力を利用して固定手段に取り付けられるようにしても良い。
【００３４】
さらに、キャップ本体１２ｃの開口部１４ｃがワッシャー２８に密接すれば雨水がキャップ本体１２ｃの内部に入り込むことを防止できる。
【００３５】
屋根の構成は、ボルト３０の頭部３４がワッシャー２８の上側に配置され、ナット３６が骨組みの下側に配置されるようになっていても良い。この場合、嵌着部材４０にボルト３０の頭部３４が入り込み、嵌着部材４０とボルト３０の頭部３４とが接するようにする。
【実施例４】
【００３６】
図９（ａ）、（ｂ）および図１０に示すように、実施例４では屋根の構造を多少変更する。実施例４の屋根では、ボルト３０の頭部３４がワッシャー２８の上側となり、ナットは屋根下地材の下でボルト３０の軸３２に締め付けられている。それ以外の屋根２０ｄの構造は実施例１以前に説明したものと同様である。
【００３７】
実施例４のキャップ１０ｄは、形状が１つの開口部１４ｄを有する袋形状であり、袋形状の内部１６ｄにワッシャー２８およびボルト３０の頭部３４が入るキャップ本体１２ｄと、キャップ本体１２ｄの開口１４ｄ部の内面に設けられ、ワッシャー２８の下側に掛け止めされる複数の爪１８ｄと、キャップ本体１２ｄに設けられ、ボルト３０の頭部３４を下方へ押しつける弾性部材４８とを含む。図１１（ａ）、（ｂ）に示すキャップ本体１２ｄについては実施例１と同様であるので説明を省略する。
【００３８】
図１２（ａ）、（ｂ）に示すように、弾性部材４８はバネ鋼で構成された複数の板バネを利用する。図１２では、弾性部材４８が板材５０に固定され、図９に示すようにキャップ本体１２ｄに固定されているが、弾性部材４８が直接キャップ本体１２ｄに固定されても良い。弾性部材４８は板バネ以外にコイルバネやゴムであっても良い。
【００３９】
図１２（ｃ）に示すように、弾性部材４８と爪１８ｄとが１つの部材となるように構成されている。爪１８ｄは板材５０と一体となっていおり、図９よりキャップ本体１２ｄの開口部１４ｄ以外の位置に固定されているが、爪１８ｄの位置が開口部１４ｄにあり、キャップ本体１２ｄの開口部１４ｄの内面に直接固定したものと同じとする。これは実施例３の爪と同じである。
【００４０】
弾性部材４８がボルト３０の頭部３４を下方へ押す作用と爪１８ｄがワッシャー２８に掛け止めされる作用によって固定手段にキャップ１０ｄが固定され、風雨でキャップ１０ｄが脱落するのを防止できる。また、キャップ本体１２ｄを固定手段の上方から被せるようにしてはめ込むことにより、固定手段に簡単にキャップ１０ｄを取り付けることができる。さらに、キャップ本体１２ｄの開口部１４ｄがワッシャー２８に密接すれば雨水がキャップ本体１６ｄの内部に入り込むことを防止できる。
【００４１】
屋根の構成は、実施例１などの屋根であっても良い。この場合、ボルト３０の軸３２の先端を弾性部材４８が押すようになる。
【実施例５】
【００４２】
実施例１などでは複数の爪を設けたが、キャップ本体の開口部の内面に接するリング状体を取り付けても良い。このリング状体がワッシャーの下側に掛け止めされることによって、キャップ本体が風雨で脱落しにくくなる。
【００４３】
以上、本発明について種々の実施例を示したが、どのキャップも簡単に固定手段に取り付けることができる。キャップによって固定手段の風雨に対する保護が簡単にできる。また、取り付け後も爪などではずれにくくなっており、信頼性のあるキャップである。折板の山部全体を覆うのではないので、キャップの一部が破損しても、そのキャップだけ取り替えれば良く、従来の山部全体を覆うキャップよりも有利である。
【００４４】
その他、本発明は、その主旨を逸脱しない範囲で当業者の知識に基づき種々の改良、修正、変更を加えた態様で実施できるものである。
【図面の簡単な説明】
【００４５】
【図１】本発明のキャップを屋根に取り付けた断面図である。
【図２】図１のキャップを示す図であり、（ａ）は断面図であり、（ｂ）は下面図である。
【図３】本発明の第２実施例のキャップを示す図であり、（ａ）は断面図であり、（ｂ）は下面図である。
【図４】本発明の第２実施例のキャップを屋根に取り付けた断面図である。
【図５】本発明の第３実施例のキャップを示す図であり、（ａ）は断面図であり、（ｂ）は（ａ）と違う方向から見た断面図である。
【図６】本発明の第３実施例のキャップの上面図である。
【図７】本発明の第３実施例のキャップを構成するキャップ本体を示す図であり、（ａ）は上面図であり、（ｂ）は断面図である。
【図８】本発明の第３実施例のキャップを構成する爪を示す図であり、（ａ）は上面図であり、（ｂ）は断面図であり、（ｃ）は（ｂ）とは異なる方向から見た断面図である。
【図９】本発明の第４実施例のキャップを示す図であり、（ａ）は断面図であり、（ｂ）は（ａ）と違う方向から見た断面図である。
【図１０】本発明の第４実施例のキャップの上面図である。
【図１１】本発明の第４実施例のキャップを構成するキャップ本体を示す図であり、（ａ）は上面図であり、（ｂ）は断面図である。
【図１２】本発明の第４実施例のキャップを構成する爪を示す図であり、（ａ）は上面図であり、（ｂ）は側面図であり、（ｃ）は（ｂ）とは異なる方向から見た側面図である。
【図１３】従来の屋根構造を示す図である。
【符号の説明】
【００４６】
１０ａ，１０ｂ，１０ｃ，１０ｄ：キャップ
１２ａ，１２ｂ，１２ｃ，１２ｄ：キャップ本体
１８ａ，１８ｂ，１８ｃ，１８ｄ：爪
３８：ネジ部
４０：嵌着部材
４８：弾性部材
【図１】
2007162380.tif 000003
【図２】
2007162380.tif 000004
【図３】
2007162380.tif 000005
【図４】
2007162380.tif 000006
【図５】
2007162380.tif 000007
【図６】
2007162380.tif 000008
【図７】
2007162380.tif 000009
【図８】
2007162380.tif 000010
【図９】
2007162380.tif 000011
【図１０】
2007162380.tif 000012
【図１１】
2007162380.tif 000013
【図１２】
2007162380.tif 000014
【図１３】
2007162380.tif 000015